(57)【要約】  【課題】真空断熱材を採用するにあたってのラミネートフィルムが紫外線により劣化するという問題を解決し、収納性が高く、断熱性能に優れた遮蔽部材を提供する。  【解決手段】太陽光を遮蔽する遮蔽部材３において、遮蔽部材３が、ラミネートフィルム７で芯材６を覆い真空密封した真空断熱材４と、真空断熱材４を覆う紫外線遮蔽素材のカバー部材５とからなることを特徴とする遮蔽部材３であり、紫外線によるラミネートフィルム７の劣化を低減することができ、内部へのガス侵入の増加を低減することができる。それにより、真空断熱材４の断熱性能の劣化が抑えられ、長期間の使用が可能となる。【選択図】図１
2006063662.tif 000002
【特許請求の範囲】
【請求項１】
太陽光を遮蔽する遮蔽部材において、前記遮蔽部材が、ラミネートフィルムで芯材を覆い真空密封した真空断熱材と、前記真空断熱材を覆う紫外線遮蔽素材のカバー部材とからなることを特徴とする遮蔽部材。
【請求項２】
太陽光を遮蔽する遮蔽部材において、前記遮蔽部材が、ラミネートフィルムで複数の芯材を覆い、同一平面上の独立空間に真空密封した真空断熱材と、前記真空断熱材を覆う紫外線遮蔽素材のカバー部材とからなり、ラミネートフィルム同士が接合したシール部において真空断熱材とカバー部材とを接合したことを特徴とする遮蔽部材。
【請求項３】
ラミネートフィルム同士が接合したシール部において、シール部に折り目をつけて真空断熱材とカバー部材とを接合したことを特徴とする請求項２に記載の遮蔽部材。
【請求項４】
真空断熱材に紫外線をカットするカット手段を備えることを特徴とする請求項１から請求項３のいずれか一項に記載の遮蔽部材。
【請求項５】
太陽光を遮蔽する遮蔽部材において、前記遮蔽部材が、ラミネートフィルムで芯材を覆い真空密封した真空断熱材からなり、真空断熱材に紫外線をカットするカット手段を備えることを特徴とする遮蔽部材。
【請求項６】
紫外線カット手段が、真空断熱材のラミネートフィルムの最外層に紫外線カット剤を塗布したことを特徴とする請求項４または請求項５に記載の遮蔽部材。
【請求項７】
紫外線カット手段が、真空断熱材のラミネートフィルムの最外層に紫外線カットフィルムを用いたことを特徴とする請求項４または請求項５に記載の遮蔽部材。
【請求項８】
紫外線カットフィルムが、少なくとも赤外線吸収率が２５％未満の樹脂フィルムと、赤外線反射層とが、接着剤により複層された、赤外線反射率が５０％以上である請求項７に記載の遮蔽部材。
【請求項９】
真空断熱材は、複数の芯材を同一平面上の独立空間に真空密封した真空断熱材である請求項１または請求項５に記載の遮蔽部材。
【請求項１０】
真空断熱材は、ラミネートフィルム同士の接合部が芯材の伝熱方向の中心の高さにある真空断熱材であり、芯材の厚みより芯材間の間隔が大きいことを特徴とする請求項２または請求項３または請求項９のいずれか一項に記載の遮蔽部材。
【発明の詳細な説明】
【技術分野】
【０００１】
本発明は、太陽等からの光、熱を遮蔽する部材に関するものである。
【背景技術】
【０００２】
従来の遮蔽部材であるブラインドは、複数枚のスラットが設けられたブラインドにおいて、スラット本体に断熱材を積層したものである（例えば、特許文献１参照）。また、断熱材として高断熱性能な真空断熱材というものがある。
【０００３】
図１２は、特許文献１に記載された従来のブラインドの概略図である。
【０００４】
従来のブラインドの構成は、図１２に示すように、複数枚のアルミニウム薄板からなるスラット１が設けられたブラインドにおいて、スラット１本体に発泡ポリスチレン２が積層されている。
【０００５】
以上のように構成されたブラインドについて、以下その作用を説明する。
【０００６】
各スラット１は、表面に発泡ポリスチレン２が積層されており、各スラット１を傾斜させて各スラット間の間隙を閉塞する。これにより、断熱性の優れたものとなり、屋外の温度を遮断できる。
【０００７】
また、断熱材として真空断熱材というものがあり、発泡ポリスチレンを真空断熱材に変えることによりさらなる断熱性能の向上が予測できる。真空断熱材とは、ラミネートフィルムで芯材を覆い、真空密封したものであり、真空にすることにより高断熱性能を実現したものである。
【特許文献１】特開平８−４９４８１号公報
【発明の開示】
【発明が解決しようとする課題】
【０００８】
しかしながら、特許文献１の構成では、高い断熱性能を得るためには発泡ポリスチレンの厚みが必要であり、ブラインドの採光性や収納性が悪くなる問題があった。
【０００９】
また、発泡ポリスチレンを真空断熱材に変えると、薄くできるので採光性や収納性は向上するが、真空断熱材のラミネートフィルムが樹脂からできているため、紫外線に弱く劣化する問題が考えられる。ラミネートフィルムが劣化すると、真空断熱材内部へのガス侵入量が増加し、真空状態が維持できなくなる。それにより、断熱性能が低下してしまう問題がある。
【００１０】
本発明は、上記従来の課題を解決するもので、真空断熱材を採用するにあたってのラミネートフィルムが紫外線により劣化するという問題を解決し、収納性が高く、断熱性能に優れた遮蔽部材を提供するものである。
【課題を解決するための手段】
【００１１】
上記従来の課題を解決するために、本発明は、ラミネートフィルムで芯材を覆い真空密封した真空断熱材と、前記真空断熱材を覆う紫外線遮蔽素材のカバー部材とから遮蔽部材を構成したのであり、真空断熱材を紫外線遮蔽素材のカバー部材で覆うことで、紫外線によるラミネートフィルムの劣化を低減することができ、内部へのガス侵入の増加を低減することができる。それにより、真空断熱材の断熱性能の劣化が抑えられ、長期間の使用が可能となる。
【発明の効果】
【００１２】
真空断熱材を紫外線遮蔽素材のカバー部材で覆うことで、紫外線によるラミネートフィルムの劣化を低減することができ、内部へのガス侵入の増加を低減することができる。それにより、真空断熱材の断熱性能の劣化が抑えられ、長期間の使用が可能となる。
【発明を実施するための最良の形態】
【００１３】
請求項１に記載の発明は、太陽光を遮蔽する遮蔽部材において、前記遮蔽部材が、ラミネートフィルムで芯材を覆い真空密封した真空断熱材と、前記真空断熱材を覆う紫外線遮蔽素材のカバー部材とからなることを特徴とする遮蔽部材であり、真空断熱材を覆う紫外線遮蔽素材のカバー部材により、紫外線による真空断熱材のラミネートフィルムの劣化を低減することができ、内部へのガス侵入の増加を低減することができる。それにより、真空断熱材の断熱性能の劣化が抑えられ、長期間の使用が可能となる。
【００１４】
また、遮蔽部材を通して侵入してくる熱を低減することができ、室内の温度上昇を抑えることができる。また、暖房時のように室外より室内の温度が高いときには、遮蔽部材を通して逃げていく熱を低減することができ、室内の温度低下を抑えることができる。
【００１５】
請求項２に記載の発明は、太陽光を遮蔽する遮蔽部材において、前記遮蔽部材が、ラミネートフィルムで複数の芯材を覆い、同一平面上の独立空間に真空密封した真空断熱材と、前記真空断熱材を覆う紫外線遮蔽素材のカバー部材とからなり、ラミネートフィルム同士が接合したシール部において真空断熱材とカバー部材とを接合したことを特徴とする遮蔽部材であり、真空断熱材の縁や、特に芯材間のシール部において真空断熱材とカバー部材を固定できるので、カバー部材内部で真空断熱材を固定できる。また、折り畳むときにもカバー部材が弛むことがなくなる。それによって、遮蔽部材の収納、展開をスムーズに行うことができる。
【００１６】
また、真空断熱材が複数の芯材から構成されていることにより、芯材間で折り曲げることができる。それによって、遮蔽部材をコンパクトに折り畳むことができるので、遮蔽部材の収納性が向上する。
【００１７】
また、各芯材が独立していることにより、一つの芯材部が破袋しても他の芯材部に影響がなく、断熱性能の低下を抑えることができる。
【００１８】
請求項３に記載の発明は、ラミネートフィルム同士が接合したシール部において、シール部に折り目をつけて真空断熱材とカバー部材とを接合したことを特徴とする請求項２に記載の遮蔽部材であり、シール部に折り目をつけることができ、ラミネートフィルムに穴が開いても芯材部の真空状態に影響がないところで折れるようにできる。それによって、真空状態を維持できるので、真空断熱材の断熱性能の長期信頼性が向上する。
【００１９】
請求項４に記載の発明は、真空断熱材に紫外線をカットするカット手段を備えることを特徴とする請求項１から請求項３のいずれか一項に記載の遮蔽部材であり、カバー部材によって遮蔽することができなかった紫外線を低減することができ、紫外線によるラミネートフィルムの劣化をさらに低減することができ、内部へのガス侵入の増加を低減することができる。それにより、真空断熱材の断熱性能の劣化が抑えられ、さらに長期間の使用が可能となる。
【００２０】
請求項５に記載の発明は、太陽光を遮蔽する遮蔽部材において、前記遮蔽部材が、ラミネートフィルムで芯材を覆い真空密封した真空断熱材からなり、真空断熱材に紫外線をカットするカット手段を備えることを特徴とする遮蔽部材であり、紫外線によるラミネートフィルムの劣化を低減することができ、内部へのガス侵入の増加を低減することができる。それにより、真空断熱材の断熱性能の劣化が抑えられ、長期間の使用が可能となる。
【００２１】
請求項６に記載の発明は、紫外線カット手段が、真空断熱材のラミネートフィルムの最外層に紫外線カット剤を塗布したことを特徴とする請求項４または請求項５に記載の遮蔽部材であり、カバー部材によって遮蔽することができなかった紫外線を低減することができ、紫外線によるラミネートフィルムの劣化を低減することができる。それによって、さらに真空断熱材の断熱性能劣化を抑えることができ、長期間の使用が可能となる。
【００２２】
請求項７に記載の発明は、紫外線カット手段が、真空断熱材のラミネートフィルムの最外層に紫外線カットフィルムを用いたことを特徴とする請求項４または請求項５に記載の遮蔽部材であり、カバー部材によって遮蔽することができなかった紫外線を低減することができ、さらに真空断熱材の断熱性能劣化を抑えることができ、長期間の使用が可能となる。また、ラミネートフィルム化されているので、紫外線カット処理をする工程を削減することができる。
【００２３】
請求項８に記載の発明は、紫外線カットフィルムが、少なくとも赤外線吸収率が２５％未満の樹脂フィルムと、赤外線反射層とが、接着剤により複層された、赤外線反射率が５０％以上である請求項７に記載の遮蔽部材であり、樹脂フィルムを透過した赤外線は、接着剤の接着部と非接着部へそれぞれ入射する。このとき、接着部に入射した赤外線の一部は、接着剤の赤外線吸収作用により吸収され、熱として赤外線反射層へ伝導するが、非接着部では接着剤が無いので赤外線の吸収が生じない。このように接着剤を部分的に塗布することにより、輻射熱伝導抑制フィルムの赤外線吸収率を低減し、輻射による熱伝導を抑制することができる。
【００２４】
請求項９に記載の発明は、真空断熱材が、複数の芯材を同一平面上の独立空間に真空密封した真空断熱材である請求項１または請求項５に記載の遮蔽部材であり、真空断熱材が複数の芯材から構成されていることにより、芯材間で折り曲げることができる。それによって、遮蔽部材をコンパクトに折り畳むことができるので、遮蔽部材の収納性が向上する。また、各芯材が独立していることにより、一つの芯材部が破袋しても他の芯材部に影響がなく、断熱性能の低下を抑えることができる。
【００２５】
請求項１０に記載の発明は、真空断熱材が、ラミネートフィルム同士の接合部が芯材の伝熱方向の中心の高さにある真空断熱材であり、芯材の厚みより芯材間の間隔が大きいことを特徴とする請求項２または請求項３または請求項９のいずれか一項に記載の遮蔽部材であり、真空断熱材をシール部毎に山、谷と折り畳むときに、隣り合う芯材の面と面を接触させて折り畳むことができる。それにより、遮蔽部材がコンパクトに折り畳むことができ、収納性が向上する。
【００２６】
以下、本発明の実施の形態について、図面を参照しながら説明する。
【００２７】
（実施の形態１）
図１は、本発明の実施の形態１における遮蔽部材の伝熱方向に平行な断面図である。図２は、本発明の実施の形態１における遮蔽部材の伝熱方向に垂直な断面図である。図３は、本発明の実施の形態１における別仕様での遮蔽部材の伝熱方向に垂直な断面図である。
【００２８】
図１、図２、図３に示すように、遮蔽部材３は、真空断熱材４と、真空断熱材４を覆う紫外線遮蔽素材のカバー部材５とからなり、真空断熱材４は、複数の芯材６と、複数の芯材６を覆うラミネートフィルム７とからなる。
【００２９】
以上のように構成された遮蔽部材３を従来のカーテン等と同様に窓際で吊すなどして使用する。
【００３０】
以上のように、本実施の形態においては、太陽光を遮蔽する遮蔽部材３において、遮蔽部材３が、ラミネートフィルム７で複数の芯材６を覆い真空密封した真空断熱材４と、真空断熱材４を覆う紫外線遮蔽素材のカバー部材５とからなることを特徴とする遮蔽部材３であり、真空断熱材４からなる遮蔽部材３なので、太陽光などの光を遮断するだけでなく、遮蔽部材３を通して侵入してくる熱を低減することができ、室内の温度上昇を抑えることができる。また、室外より室内の温度が高いときには、遮蔽部材３を通して逃げていく熱を低減することができ、室内の温度低下を抑えることができる。
【００３１】
また、真空断熱材４を紫外線遮蔽素材のカバー部材５で覆うことで、紫外線によるラミネートフィルム７の劣化を低減することができ、ラミネートフィルム７を通しての真空断熱材内部へのガス侵入量の増加を抑えることができる。それにより、真空断熱材４の真空状態が維持でき、断熱性能劣化を抑えることができるので、長期間の使用が可能となる。
【００３２】
また、真空断熱材４が複数の芯材６から構成されていることにより、芯材６間で折り曲げることができる。それによって、遮蔽部材３をコンパクトに折り畳むことができるので、遮蔽部材３の収納性が向上する。詳細な収納の方法としては、図２のように芯材６を一定間隔で並べることにより、シール部で山、谷と折りたたみ、アコーディオンカーテンのようにして収納することができる。また、図３のように芯材６を縦横に一定間隔で並べる仕様では、複雑に折り畳むことができるので、収納性が広がる。
【００３３】
また、複数の芯材からなる真空断熱材ではなく、一つの芯材６からなる真空断熱材４を複数用意し、カバー部材５で覆って遮蔽部材３を形成してもよい。この場合、ラミネートフィルム７の端面が多い分、内部へのガス侵入量が増え、真空断熱材４の劣化が早くなる。
【００３４】
ここで、芯材６の形状が正方形、もしくは長方形になっているが、円形、三角形、多角形でもよく、収納の仕方に応じて芯材６の形状を決めることができる。また、芯材６を複数からなるとしてあるが、雨戸のようにスライドさせて収納する場合、折り畳む必要がなく、芯材６は単一でもよい。
【００３５】
（実施の形態２）
図４は、本発明の実施の形態２における遮蔽部材３の伝熱方向に平行な断面図である。図５は、本発明の実施の形態２における遮蔽部材３の伝熱方向に垂直な断面図である。
【００３６】
本実施の形態の遮蔽部材３は、実施の形態１のカバー部材５と真空断熱材４とをラミネートフィルム７同士が接合したシール部において接合したものである。
【００３７】
接合方法として、糸８などで縫合する方法がある。また、金具等で接合する方法でもよいが、熱リークの原因になるので、金属ではなく、金属より熱伝導率が低いプラスチック等を用いることが望ましい。
【００３８】
以上のように、本実施の形態においては、太陽光を遮蔽する遮蔽部材３において、遮蔽部材３が、ラミネートフィルム７で複数の芯材６を覆い個別に真空密封した真空断熱材４と、真空断熱材４を覆う紫外線遮蔽素材のカバー部材５とからなり、ラミネートフィルム７同士が接合したシール部において真空断熱材４とカバー部材５とを接合したことを特徴とする遮蔽部材３であり、実施の形態１の効果に加え、真空断熱材４の縁や、特に芯材６間のシール部において真空断熱材４とカバー部材５を固定できるので、カバー部材５内部で真空断熱材４を固定できる。また、折り畳むときにもカバー部材５が弛むことがなくなる。それによって、遮蔽部材３の収納、展開をスムーズに行うことができる。
【００３９】
（実施の形態３）
図６は、本発明の実施の形態３における遮蔽部材３の伝熱方向に平行な断面図である。
【００４０】
本実施の形態の遮蔽部材３は、実施の形態１や実施の形態２のラミネートフィルム７の最外層に紫外線カット剤９を塗布して構成されたものである。紫外線カット剤９の成分として、金属粉体、無機粉体、金属酸化物粉体が挙げられる。
【００４１】
以上のように、本実施の形態においては、紫外線カット手段が、真空断熱材４の最外層に紫外線カット剤９を塗布した遮蔽部材３であり、実施の形態１、２の効果に加え、カバー部材５によって遮蔽することができなかった紫外線を低減することができ、ラミネートフィルム７の劣化を低減することができる。そのため、内部へのガス侵入の増加を低減することができ、真空断熱材４の断熱性能劣化を抑えることができ、さらに長期間の使用が可能となる。また、真空断熱材を作製した後で紫外線カット剤９を塗布するだけなので、遮蔽部材専用の真空断熱材を作製する必要がなく、生産コストが下がる。
【００４２】
紫外線カット剤９として、金属粉体は輻射率が低く、赤外線を反射する能力において優れた作用を有するため、断熱材表面へ伝わる輻射熱が効果的に抑制され、断熱性能が向上するものである。特に、輻射率の低い銀、アルミニウム等が有効である。
【００４３】
無機粉体は、赤外線を反射する作用を有するため、断熱材表面へ伝わる輻射熱が、効果的に抑制され、断熱性能が向上するものである。また、金属粉体よりも、比較的固体熱伝導率が低いという利点もある。特に、チッ化珪素、チッ化ホウ素などのチッ化物、炭化珪素、炭化ホウ素などの炭化物などが有効である。
【００４４】
金属酸化物は、赤外線を散乱反射する作用を有するため、断熱材表面へ伝わる輻射熱が効果的に抑制され、断熱性能向上するものである。また、金属粉体よりも、比較的固体熱伝導率が低いという利点もある。特に、酸化チタン、酸化錫、アンチモンドープ錫酸化物、錫ドープインジウム酸化物などが有効である。
【００４５】
また、真空断熱材４のラミネートフィルム７の最外層に紫外線カット剤を塗布した場合、カバー部材５がなくても使用することができ、なにも紫外線対策をしない場合に比べ、真空断熱材４の断熱性能劣化を抑えることができ、長期間の使用が可能となる。
【００４６】
（実施の形態４）
図７は、本発明の実施の形態４における遮蔽部材３の伝熱方向に平行な断面図である。
【００４７】
本実施の形態の遮蔽部材３は、実施の形態１や実施の形態２のラミネートフィルム７の最外層を紫外線カットフィルム１０で構成したものである。好ましくは、紫外線カットフィルム１０が、少なくとも赤外線吸収率が２５％未満の樹脂フィルムと、赤外線反射層とが、接着剤により複層された、赤外線反射率が５０％以上である。
【００４８】
以上のように、本実施の形態においては、紫外線カット手段が、真空断熱材４のラミネートフィルム７の最外層に紫外線カットフィルム１０を用いた遮蔽部材３であり、実施の形態１、２の効果に加え、カバー部材５によって遮蔽することができなかった紫外線を低減することができ、ラミネートフィルム７の劣化を低減することができる。
【００４９】
そのため、内部へのガス侵入の増加を低減することができ、真空断熱材４の断熱性能劣化を抑えることができ、さらに長期間の使用が可能となる。また、ラミネートフィルム化されているので、真空断熱材４作製後に紫外線カット処理をする工程を削減することができる。
【００５０】
また、本実施の形態では遮蔽部材３の構成要素としてカバー部材５があるが、真空断熱材４のラミネートフィルム７の最外層に紫外線カットフィルム１０で構成した場合、カバー部材５をなくすこともできる。その場合でも、従来に比べ、ラミネートフィルム７の劣化を低減することができ、真空断熱材４の断熱性能劣化を抑えることができ、長期間の使用が可能となる。
【００５１】
また、紫外線カットフィルム１０が、少なくとも赤外線吸収率が２５％未満の樹脂フィルムと、赤外線反射層とが、接着剤により複層された、赤外線反射率が５０％以上であると、樹脂フィルムを透過した赤外線は、接着剤の接着部と非接着部へそれぞれ入射する。このとき、接着部に入射した赤外線の一部は、接着剤の赤外線吸収作用により吸収され、熱として赤外線反射層へ伝導するが、非接着部では接着剤が無いので赤外線の吸収が生じない。このように接着剤を部分的に塗布することにより、輻射熱伝導抑制フィルムの赤外線吸収率を低減し、輻射による熱伝導を抑制することができる
（実施の形態５）
図８は、本発明の実施の形態４における遮蔽部材３の伝熱方向に平行な断面図である。図９は、本発明の実施の形態５における遮蔽部材３の伝熱方向に垂直な断面図である。
【００５２】
本実施の形態の遮蔽部材３は、実施の形態２の真空断熱材４とカバー部材５の接続を、シール部に折り目をつけて接合したものである。図８では、金具１１で形成されており、金具１１の中心の軸以外で曲がらないようになっている。
【００５３】
以上のように、本実施の形態においては、ラミネートフィルム７同士が接合したシール部において、シール部に折り目をつけて真空断熱材４とカバー部材５とを接合した遮蔽部材３であり、実施の形態２の効果に加え、シール部に折り目をつけることができ、ラミネートフィルムに穴が開いても芯材部の真空状態に影響がないところで折れるようにできる。それによって、真空状態を維持できるので、真空断熱材の断熱性能の長期信頼性が向上する。
【００５４】
（実施の形態６）
図１０は、本発明の実施の形態６における遮蔽部材３の伝熱方向に平行な断面図である。図１１は、本発明の実施の形態６における遮蔽部材３の伝熱方向に垂直な断面図である。
【００５５】
本実施の形態の遮蔽部材３は、実施の形態２の芯材６間（ａ）のシール幅を芯材６の厚み（ｂ）より大きく構成したものである。
【００５６】
以上のように、本実施の形態においては、ラミネートフィルム７同士の接合部が芯材６の伝熱方向の中心の高さにある真空断熱材４であり、芯材６の厚みより芯材６間の間隔が大きい真空断熱材４であり、芯材６の厚みより芯材６間の間隔が大きいことを遮蔽部材３であり、実施の形態２の効果に加え、真空断熱材４をシール部毎に山、谷と折り畳むときに、隣り合う芯材の面と面を接触させて折り畳むことができる。それにより、遮蔽部材がコンパクトに折り畳むことができ、収納性が向上する。
【産業上の利用可能性】
【００５７】
以上のように、本発明による遮蔽部材は、太陽光を遮断するだけでなく、遮蔽部材を通して侵入してくる熱を低減することができるので、部屋の窓際での使用だけでなく、窓が存在する個所で使用することができる。例えば、車、電車、新幹線等の乗り物等である。また、窓でなくても光を遮蔽する個所にも適用できる。例えば、傘、サンバイザー等である。
【図面の簡単な説明】
【００５８】
【図１】本発明の実施の形態１における遮蔽部材の伝熱方向に平行な断面図
【図２】本発明の実施の形態１における遮蔽部材の伝熱方向に垂直な断面図
【図３】本発明の実施の形態１における遮蔽部材の伝熱方向に垂直な断面図
【図４】本発明の実施の形態２における遮蔽部材の伝熱方向に平行な断面図
【図５】本発明の実施の形態２における遮蔽部材の伝熱方向に垂直な断面図
【図６】本発明の実施の形態３における遮蔽部材の伝熱方向に平行な断面図
【図７】本発明の実施の形態４における遮蔽部材の伝熱方向に平行な断面図
【図８】本発明の実施の形態５における遮蔽部材の伝熱方向に平行な断面図
【図９】本発明の実施の形態５における遮蔽部材の伝熱方向に垂直な断面図
【図１０】本発明の実施の形態６における遮蔽部材の伝熱方向に平行な断面図
【図１１】本発明の実施の形態６における遮蔽部材の伝熱方向に垂直な断面図
【図１２】従来のブラインドの概略図
【符号の説明】
【００５９】
３    遮蔽部材
４    真空断熱材
５    カバー部材
６    芯材
７    ラミネートフィルム
９    紫外線カット剤
１０  紫外線カットフィルム
【図１】
2006063662.tif 000003
【図２】
2006063662.tif 000004
【図３】
2006063662.tif 000005
【図４】
2006063662.tif 000006
【図５】
2006063662.tif 000007
【図６】
2006063662.tif 000008
【図７】
2006063662.tif 000009
【図８】
2006063662.tif 000010
【図９】
2006063662.tif 000011
【図１０】
2006063662.tif 000012
【図１１】
2006063662.tif 000013
【図１２】
2006063662.tif 000014